【手続補正書】
【提出日】平成15年8月5日(2003.8.5)
【手続補正１】
【補正対象書類名】明細書
【補正対象項目名】特許請求の範囲
【補正方法】変更
【補正の内容】
【特許請求の範囲】
【請求項１】
特定のレンズ系を移動することにより被検面側の焦点位置の移動が可能で且つ観察倍率の変更が可能な観察光学系と、該観察光学系を介さずに前記被検面上に照明光を導く照明光学系とを有する手術用顕微鏡において、
前記照明光学系内には、前記観察光学系の焦点位置の移動及び観察倍率の変化に伴って移動し得るレンズ系が夫々備えられていることを特徴とする手術用顕微鏡。
【請求項２】
観察光学系と該観察光学系を介さずに被検面上に照明光を導く照明光学系とを有し、観察光軸と照明光軸とがビームスプリッタによって合成されて前記被検面上に導かれる手術用顕微鏡において、
前記ビームスプリッタは楔型に構成されていることを特徴とする手術用顕微鏡。
【請求項３】
観察光学系と該観察光学系を介さずに被検面上に照明光を導く照明光学系とを有し、観察光軸と照明光軸とがビームスプリッタによって合成されて前記被検面上に導かれる手術用顕微鏡において、
前記ビームスプリッタの近傍に、該ビームスプリッタにより反射される前記照明光学系からの光が到達する位置に曲面に構成された光吸収板が設けられていることを特徴とする手術用顕微鏡。
【請求項４】
前記ビームスプリッタと被検面との間に平滑な透明板が前記手術用顕微鏡鏡体の底面と平行になるように配置されていることを特徴とする請求項２又は３に記載の手術用顕微鏡。
【請求項５】
前記観察光学系の観察倍率の変化に伴い、被検面の照明範囲を変更するための可変絞りが設けられていることを特徴とする請求項１に記載の手術用顕微鏡。
【請求項６】
前記観察光学系の変倍範囲の低倍域に対応する照明範囲の設定を前記照明光学系に備えられたレンズ群の移動によって行い、高倍域に対応する照明範囲の設定を前記照明光学系に備えられた可変絞りの操作によって行うようにしたことを特徴とする請求項１に記載の手術用顕微鏡。
【請求項７】
観察倍率が可変の観察光学系と、この観察光学系を介さずに被検面上に照明光を導く照明光学系とを有する手術用顕微鏡において、前記観察光学系の変倍範囲の低倍域に対応する照明範囲の設定を前記照明光学系に備えられたレンズ群によって行い、高倍域に対応する照明範囲の設定を前記照明光学系の前記可変絞りによって行うようにしたことを特徴とする手術用顕微鏡。
【請求項８】
観察光学系とこの観察光学系を介さずに被検面上に照明光を導く照明光学系とを有し、前記被検面上における観察光軸と照明光軸とをビームスプリッタを用いて合成する手術用顕微鏡において、前記ビームスプリッタで反射され偏向された観察光軸と前記ビームスプリッタを透過した照明光軸とが一致するように前記照明光学系内に光軸を補正するプリズムを配置したことを特徴とする請求項２に記載の手術用顕微鏡。
【請求項９】
観察光学系とこの観察光学系を介さずに被検面上に照明光を導く照明光学系とを有し、前記被検面上において観察光軸と照明光軸とがビームスプリッタによって合成される手術用顕微鏡において、前記照明光学系には、前記ビームスプリッタで反射され偏向された観察光軸と前記ビームスプリッタを透過した照明光軸とを一致させ且つ前記被検面上に投影される照明光束の形状がほぼ円形になるよう補正するプリズムが備えられていることを特徴とする請求項２に記載の手術用顕微鏡。
【請求項１０】
前記ビームスプリッタの両側面により形成される頂点は被検面側に向けられていることを特徴とする請求項２に記載の手術用顕微鏡。
【請求項１１】
前記光吸収板は平滑な面になっており、前記ビームスプリッタからの光を吸収若しくは前記手術用顕微鏡鏡体の斜め下方の方向へ逃がすことが可能になっていることを特徴とする請求項３に記載の手術用顕微鏡。
【請求項１２】
前記ビームスプリッタにより反射される照明光の前記光吸収板への入射角が９０°未満になるようにしたことを特徴とする請求項３又は１１に記載の手術用顕微鏡。
【請求項１３】
観察光学系とこの観察光学系を介さずに被検面上に照明光を導く照明光学系とを有する手術用顕微鏡において、この顕微鏡鏡体の被検面側に配置された透明板は前記鏡体の底面に対してほぼ平行に配置されており、前記ビームスプリッタで反射され偏向された観察光軸とそのビームスプリッタを透過した照明光軸とが前記透明板に対して傾きを有していることを特徴とする手術用顕微鏡。
【手続補正２】
【補正対象書類名】明細書
【補正対象項目名】００１７
【補正方法】変更
【補正の内容】
【００１７】
請求項４にかかる発明は、観察光学系とこの観察光学系を介さずに被検面上に照明光を導く照明光学系とを有し、観察光軸と照明光軸とがビームスプリッタによって合成されて前記被検面上に導かれる手術用顕微鏡において、前記ビームスプリッタと被検面との間に平滑な透明板が前記手術用顕微鏡鏡体の底面と平行になるように配置されている手術用顕微鏡に関するものである。
請求項５にかかる発明は、前記観察光学系の観察倍率の変化に伴い、被検面の照明範囲を変更するための可変絞りが設けられている手術用顕微鏡に関するものである。
請求項６にかかる発明は、前記観察光学系の変倍範囲の低倍域に対応する照明範囲の設定を前記照明光学系に備えられたレンズ群の移動によって行い、高倍域に対応する照明範囲の設定を前記照明光学系に備えられた可変絞りの操作によって行うようにした手術用顕微鏡に関するものである。
請求項７にかかる発明は、観察倍率が可変の観察光学系と、この観察光学系を介さずに被検面上に照明光を導く照明光学系とを有する手術用顕微鏡において、前記観察光学系の変倍範囲の低倍域に対応する照明範囲の設定を前記照明光学系に備えられたレンズ群によって行い、高倍域に対応する照明範囲の設定を前記照明光学系の前記可変絞りによって行うようにした手術用顕微鏡に関するものである。
請求項８にかかる発明は、観察光学系とこの観察光学系を介さずに被検面上に照明光を導く照明光学系とを有し、前記被検面上における観察光軸と照明光軸とをビームスプリッタを用いて合成する手術用顕微鏡において、前記ビームスプリッタで反射され偏向された観察光軸と前記ビームスプリッタを透過した照明光軸とが一致するように前記照明光学系内に光軸を補正するプリズムを配置した手術用顕微鏡に関するものである。
請求項９にかかる発明は、観察光学系とこの観察光学系を介さずに被検面上に照明光を導く照明光学系とを有し、前記被検面上において観察光軸と照明光軸とがビームスプリッタによって合成される手術用顕微鏡において、前記照明光学系には、前記ビームスプリッタで反射され偏向された観察光軸と前記ビームスプリッタを透過した照明光軸とを一致させ且つ前記被検面上に投影される照明光束の形状がほぼ円形になるよう補正するプリズムが備えられている手術用顕微鏡に関するものである。
請求項１０にかかる発明は、前記ビームスプリッタの両側面により形成される頂点は被検面側に向けられている手術用顕微鏡に関するものである。
請求項１１にかかる発明は、前記光吸収板は平滑な面になっており、前記ビームスプリッタからの光を吸収若しくは前記手術用顕微鏡鏡体の斜め下方の方向へ逃がすことが可能になっている手術用顕微鏡に関するものである。
請求項１２にかかる発明は、前記ビームスプリッタにより反射される照明光の前記光吸収板への入射角が９０°未満になるようにした手術用顕微鏡に関するものである。
請求項１３にかかる発明は、観察光学系とこの観察光学系を介さずに被検面上に照明光を導く照明光学系とを有する手術用顕微鏡において、この顕微鏡鏡体の被検面側に配置された透明板は前記鏡体の底面に対してほぼ平行に配置されており、前記ビームスプリッタで反射され偏向された観察光軸とそのビームスプリッタを透過した照明光軸とが前記透明板に対して傾きを有している手術用顕微鏡に関するものである。